(57)【要約】【課題】長尺物を要することなく乗かごの位置を検出することのできるエレベータの位置検出装置の提供。【解決手段】終端階に近接した乗かご２を強制的に停止させる終端階強制減速手段に昇降路１内を昇降する乗かご２の位置信号を出力するエレベータの位置検出装置において、乗かご２に、複数の光軸を照射する光電式センサＰＳを設置するとともに、昇降路１内の光電式センサＰＳと対向する所定位置に、複数の切欠きが設けられる遮蔽板Ｓ１〜Ｓ６を切欠きの形状を変えて乗かご２の昇降方向に沿って複数段配設し、かつ、光電式センサＰＳが遮蔽板Ｓ１〜Ｓ６を通過したときに複数の光軸が遮断される順番を記憶・判定することにより乗かごの位置を検出する検出手段を備えた構成としている。【選択図】図１
2006188319.tif 000002
【特許請求の範囲】
【請求項１】
終端階に近接した乗かごを強制的に停止させる終端階強制減速手段に昇降路内を昇降する乗かごの位置信号を出力するエレベータの位置検出装置において、
前記乗かごに、複数の光軸を照射する光電式センサを設置するとともに、前記昇降路内の前記光電式センサと対向する所定位置に、複数の切欠きが設けられる遮蔽板を切欠きの形状を変えて前記乗かごの昇降方向に沿って複数段配設し、かつ、前記光電式センサが前記遮蔽板を通過したときに前記複数の光軸が遮断される順番を記憶・判定することにより前記乗かごの位置を検出する検出手段を備えたことを特徴とするエレベータの位置検出装置。
【請求項２】
同じ形状の前記遮蔽板を中間階を軸として対称に上端階側および下端階側の所定位置にそれぞれ設置することにより前記乗かごの昇降方向を判断可能としたことを特徴とする請求項１記載のエレベータの位置検出装置。
【発明の詳細な説明】
【技術分野】
【０００１】
本発明は、昇降路内を昇降する乗かごが終端階に近接したことを検出するエレベータの位置検出装置に関する。
【背景技術】
【０００２】
この種の従来技術として、エレベータの乗かごに投光手段および受光手段を対にして複数段設けるとともに、昇降路内の所定の位置に前記投光手段と前記受光手段間を通過するように遮蔽板を設け、複数の一対の前記投光手段と前記受光手段を前記遮蔽板で遮断したときの出力信号に基づき前記乗かごの位置を検出するようにしたものがある（例えば、特許文献１参照）。
【特許文献１】特開２０００−３４０７０号公報（段落番号００１１〜００１３）
【発明の開示】
【発明が解決しようとする課題】
【０００３】
しかしながら、前述した従来のエレベータの位置検出装置では、所定の長さ寸法の遮蔽板を昇降路内に設置し、この遮蔽板により投光手段から受光手段への放射光が所定時間以上遮蔽されたときに位置検出の信号を検出するものであることから、乗かごの昇降速度が速くなると放射光の遮蔽時間を所定時間以上検出するめに遮蔽板の長さ寸法も長くせざるを得ないという問題がある。
【０００４】
本発明は、前述した従来技術における実状からなされたもので、その目的は、長尺物を要することなく乗かごの位置を検出することのできるエレベータの位置検出装置を提供することにある。
【課題を解決するための手段】
【０００５】
前記目的を達成するために、本発明は、終端階に近接した乗かごを強制的に停止させる終端階強制減速手段に昇降路内を昇降する乗かごの位置信号を出力するエレベータの位置検出装置において、前記乗かごに、複数の光軸を照射する光電式センサを設置するとともに、前記昇降路内の前記光電式センサと対向する所定位置に、複数の切欠きが設けられる遮蔽板を切欠きの形状を変えて前記乗かごの昇降方向に沿って複数段配設し、かつ、前記光電式センサが前記遮蔽板を通過したときに前記複数の光軸が遮断される順番を記憶・判定することにより前記乗かごの位置を検出する検出手段を備えた構成とした。
【０００６】
このように構成した本発明は、乗かごの昇降時に、この乗かごに設置された光電式センサが遮蔽板を通過すると、遮蔽板には切欠きが設けられていることから、光電式センサの複数の光軸のうち、所定の光軸は遮蔽板により遮蔽されＯＦＦを検出し、一方、他の光軸は切欠きにより遮蔽されずＯＮを検出する。この複数の光軸のＯＮ、ＯＦＦ状態は切欠きの形状、すなわち遮蔽板の形状に応じた固有のものとなることから、検出手段により遮蔽板を通過する際に複数の光軸が遮断される順番を記憶・判定することにより乗かごがどの位置にあるかを検出する。このように、切欠きを有する遮蔽板を光電式センサが通過する際の出力信号の変換に基づき乗かご位置を検出することから、遮蔽板の長さ寸法を従来と比べて短いものとすることができる。
【発明の効果】
【０００７】
本発明は、長尺物を要することなく乗かごの位置を検出することができることから、装置据付時の作業性の向上を図ることができるとともに、昇降路内の機器設置スペースが限られた、例えば機械室レスエレベータにも容易に適用することができる。
【発明を実施するための最良の形態】
【０００８】
以下、本発明に係るエレベータの位置検出装置の実施形態を図に基づいて説明する。
【０００９】
図１は本発明のエレベータの位置検出装置の一実施形態を示す正面図、図２は位置検出装置の光電式センサを示す正面図、図３は位置検出装置の遮蔽板を示す正面図、図４は位置検出装置の検出手段を示すブロック図、図５は光電式センサの遮蔽板通過時の出力信号を示す説明図である。
【００１０】
本実施形態の位置検出装置は図１に示すように、昇降路１内を昇降する乗かご２の上部に設置され、複数の光軸を照射する光電式センサＰＳを備えている。また、光電式センサＰＳは図２に示すように、コの字形の形状を有しており、光軸ＰＳ１を照射する投光部ＳＴ１と、この光軸ＰＳ１を受光可能な受光部ＳＲ１と、光軸ＰＳ２を照射する投光部ＳＴ２と、この光軸ＰＳ２を受光可能な受光部ＳＲ２と、光軸ＰＳ３を照射する投光部ＳＴ３と、この光軸ＰＳ３を受光可能な受光部ＳＲ３とを有して成っている。
【００１１】
また、昇降路１内の光電式センサＰＳと対向する所定位置に、複数の切欠きが設けられる遮蔽板Ｓ１、Ｓ２、Ｓ３、Ｓ４、Ｓ５およびＳ６を切欠きの形状を変えて乗かご２の昇降方向に沿って複数段、すなわち下端階側３段、上端階側３段配設している。そして、遮蔽板Ｓ１〜Ｓ６は、乗かご２の昇降に応じて光電式センサＰＳのコの字形の中を通過するとともに、遮蔽板Ｓ１〜Ｓ６の右側部が光軸ＰＳ１と対向し、遮蔽板Ｓ１〜Ｓ６の中間部が光軸ＰＳ２と対向し、かつ遮蔽板Ｓ１〜Ｓ６の左側部が光軸ＰＳ３と対向するようになっている。
【００１２】
さらに、遮蔽板Ｓ１〜Ｓ３は図３に示すように、それぞれが異なる形状を有しているとともに、上端階側の最上位置に設置される遮蔽板Ｓ４は下端階側の最下位置に設置される遮蔽板Ｓ１を反転させた形状を有しており、上端階側の中間位置に設置される遮蔽板Ｓ５は下端階側の中間位置に設置される遮蔽板Ｓ２を反転させた形状を有しており、かつ、上端階側の最下位置に設置される遮蔽板Ｓ６は下端階側の最上位置に設置される遮蔽板Ｓ３を反転させた形状を有している。
【００１３】
また、位置検出装置は図４に示すように、光電式センサＰＳが遮蔽板Ｓ１〜Ｓ６を通過するときに光軸ＰＳ１〜ＰＳ３が遮断される順番を記憶・判定することにより乗かご２の位置を検出する検出手段、例えば、光電式センサＰＳが遮蔽板Ｓ１〜Ｓ３を通過した際の光軸ＰＳ１〜ＰＳ３のあらかじめ記憶された出力信号の順番と光電式センサＰＳが実際に遮蔽板Ｓ１〜Ｓ３を通過したときの光軸ＰＳ１〜ＰＳ３の出力信号の順番とをつき合わせ、合致したときに位置情報を出力する順次メモリ回路１０と、順次メモリ回路１０からの位置情報とあらかじめ記憶された位置情報とを比較し位置を確定する位置検出回路１１と、位置検出回路１１から送られる位置情報をエレベータに出力する出力回路１２とを備えている。
【００１４】
ここで、光電式センサＰＳが遮蔽板Ｓ３を通過する際の出力信号を例に取り乗かご２の位置検出の手順を説明する。
【００１５】
例えば乗かご２が中間階から下端階に向けて走行しているとき、光電式センサＰＳの光軸ＰＳ１〜ＰＳ３を遮るものがないことから、光軸ＰＳ１〜ＰＳ３に係る出力信号は全て図５のＺに示すようにＯＮ・ＯＮ・ＯＮとなっている。乗かご２がさらなる下降を続け遮蔽板Ｓ３の位置ａを通過すると、光軸ＰＳ２が遮断される一方、他の光軸ＰＳ１および光軸ＰＳ３は切欠きにより遮断されることがなく、したがって、光軸ＰＳ１〜ＰＳ３に係る出力信号は図５のＡに示すようにＯＮ・ＯＦＦ・ＯＮとなる。次いで、乗かご２が下降を続け遮蔽板Ｓ３の位置ｂを通過すると、光軸ＰＳ２および光軸ＰＳ３が遮断される一方、他の光軸ＰＳ１は切欠きにより遮断されることがなく、したがって、光軸ＰＳ１〜ＰＳ３に係る出力信号は図５のＢに示すようにＯＮ・ＯＦＦ・ＯＦＦとなる。さらに、乗かご２が下降を続け遮蔽板Ｓ３の位置ｃを通過すると、光軸ＰＳ１、光軸ＰＳ２および光軸ＰＳ３の全てが遮蔽板Ｓ３により遮断され、したがって、光軸ＰＳ１〜ＰＳ３に係る出力信号は図５のＣに示すようにＯＦＦ・ＯＦＦ・ＯＦＦとなる。
【００１６】
このとき、順次メモリ回路１０は、遮蔽板Ｓ３を光電式センサＰＳが通過する際の光軸ＰＳ１〜ＰＳ３のあらかじめ記憶された出力信号の順番と光電式センサＰＳが今回、遮蔽板Ｓ３を通過したときの光軸ＰＳ１〜ＰＳ３の出力信号の順番とをつき合わせ、合致したことを判定すると、位置情報を位置検出回路１１に送り、この位置検出回路１１は、位置情報、すなわち前述した「ＯＮ・ＯＮ・ＯＮ」、「ＯＮ・ＯＦＦ・ＯＮ」、「ＯＮ・ＯＦＦ・ＯＦＦ」、次いで、「ＯＦＦ・ＯＦＦ・ＯＦＦ」となった出力信号の変換と、あらかじめ記憶された位置情報とを比較し、今回、送られた位置情報が遮蔽板Ｓ３に合致するもので、尚且つ、乗かご２の下降時に遮蔽板３を通過したものであることを判定する。この位置情報は出力回路１２を介してエレベータ側、すなわち終端階に近接した乗かご２を強制的に停止させる終端階強制減速手段に出力される。尚、他の遮蔽板Ｓ１、Ｓ２、Ｓ４、Ｓ５およびＳ６に関しても前述と同様に、光電式センサＰＳが遮蔽板Ｓ１、Ｓ２、Ｓ４、Ｓ５およびＳ６を通過する際の光軸ＰＳ１〜ＰＳ３のあらかじめ記憶された出力信号の順番と、光電式センサＰＳが実際、遮蔽板Ｓ１、Ｓ２、Ｓ４、Ｓ５およびＳ６を通過したときの光軸ＰＳ１〜ＰＳ３の出力信号の順番とをつき合わせて判定することにより乗かご２の位置を検出するようになっている。
【００１７】
本実施形態によれば、切欠きを有する遮蔽板Ｓ１〜Ｓ３を光電式センサＰＳが通過する際の出力信号の変換に基づき乗かご位置を検出することから、長尺物を要することなく乗かご２の位置を検出することができ、したがって、装置据付時の作業性の向上を図ることができるとともに、昇降路内の機器設置スペースが限られた、例えば機械室レスエレベータにも容易に適用することができる。また、上端階側の遮蔽板Ｓ４〜Ｓ６の形状と、下端階側に配置した遮蔽板Ｓ１〜Ｓ３の形状とを、中間階を軸とし対称としたものとすることにより、上端階側および下端階側のそれぞれの乗かご２の位置検出を同様の理論により行うことができるとともに、乗かご２が端階側あるいは中間階側のどちらに向って走行しているかを、他の乗かご運転方向検出手段を設けることなく判定することができる。
【００１８】
尚、前述した遮蔽板Ｓ１〜Ｓ６の形状によれば、光電式センサＰＳにより各遮蔽板につき５段階で位置情報を得ることが可能であるが、本実施形態では図５に示したように位置ａ〜ｃの３段階で位置情報を得るものとして説明している。また、前述した本実施形態では光電式センサＰＳの光軸を３本とするとともに、各遮蔽板につき３段階で位置情報を得るものとしたが、本発明はこれに限らず、光軸数および各遮蔽板の位置情報検出数の少なくとも一方を増やすことにより、乗かご走行位置の検出点を増やすことが可能である。
【図面の簡単な説明】
【００１９】
【図１】本発明のエレベータの位置検出装置の一実施形態を示す正面図である。
【図２】位置検出装置の光電式センサを示す正面図である。
【図３】位置検出装置の遮蔽板を示す正面図である。
【図４】位置検出装置の検出手段を示すブロック図である。
【図５】光電式センサの遮蔽板通過時の出力信号を示す説明図である。
【符号の説明】
【００２０】
１  昇降路
２  乗かご
１０  順次メモリ回路
１１  位置検出回路
１２  出力回路
ＰＳ  光電式センサ
Ｓ１〜Ｓ６  遮蔽板
ＳＴ１〜ＳＴ３  投光部
ＳＲ１〜ＳＲ３  受光部
【図１】
2006188319.tif 000003
【図２】
2006188319.tif 000004
【図３】
2006188319.tif 000005
【図４】
2006188319.tif 000006
【図５】
2006188319.tif 000007